(57)【要約】      （修正有）【課題】従来はセンサが誤動作して、屑搬送台車が異常停止することが度々起り、切削屑処理能率が低下する。【解決手段】非磁性材料の切削屑１０を所定の屑受入位置で受け入れて搬送、排出する屑搬送台車１と、該屑搬送台車１に配設された永久磁石２と、前記屑受入位置に配設されて前記永久磁石２の接近を検出する磁気飽和検出型の近接スイッチ３とを有する切削屑の処理装置である。【選択図】図１
2012115931.tif 000002
【特許請求の範囲】
【請求項１】
非磁性材料の切削屑の処理装置であって、前記切削屑を所定の屑受入位置で受け入れて搬送、排出する屑搬送台車と、該屑搬送台車に配設された永久磁石と、前記屑受入位置に配設されて前記永久磁石の接近を検出する磁気飽和検出型の近接スイッチとを有することを特徴とする切削屑の処理装置。
【発明の詳細な説明】
【技術分野】
【０００１】
本発明は、切削屑の処理装置に関するものであり、特に鋼材等の金属材料の切削屑の処理装置に好適なものである。
【背景技術】
【０００２】
鋼材例えば鋼管の端面等を切削する際に生じた切削屑は、シュート等で、屑受入位置に待機する屑搬送台車（略して台車）に送り込まれ、該台車で屑排出位置まで搬送され、排出される。空となった台車は、屑受入位置に戻される。
従来、屑搬送台車を屑受入位置で停止するには、作業者が屑搬送台車の動作を確認しつつ遠隔操作で停止させていた。屑搬送台車の動作を自動化することで、切削処理能率の向上を図ることができるが、屑搬送台車を所定の位置に自動停止させるためには、リミットスイッチ、誘導型又は静電容量型の近接スイッチ、或いは光電スイッチを用いて、台車の到着又は接近を検出し、ブレーキ装置に停止信号を出して台車を停止させるようにすることが考えられる。
【０００３】
例えば、特許文献１に、スイッチギヤの引き出し台車の位置検出装置として、磁気近接スイッチ（磁気飽和検出型の近接スイッチ）を用いたものが開示されており、このような近接スイッチを屑搬送台車に設けることで、自動停止することが考えられる。
【先行技術文献】
【特許文献】
【０００４】
【特許文献１】実開平５−０１１７０８号公報
【発明の概要】
【発明が解決しようとする課題】
【０００５】
上記背景技術においては、切削屑を台車に送り込む際には、切削屑が飛び散って屑受入位置の周囲に散乱することが多い。上述のように、リミットスイッチ等により屑搬送台車を自動停止するようにした場合、接触式センサであるリミットスイッチは、台車側のストライカーに接触させるべき屑受入位置側のアームが飛散した切削屑に絡まれて誤動作或いは破損することがある。又、非接触式センサである誘導型や静電容量型の近接スイッチ、及び光電スイッチは、飛散した切削屑が接近するとこれに反応して誤動作してしまう。そのため、これらセンサ周辺には、カバーを設け、又はブローを施して、切削屑がセンサの動作に干渉しないようにすることが考えられるが、この対策を施しても切削屑の飛散を完全には防ぎえず、定期的にセンサ周りの清掃を行う等が必要であり、また、突発的に飛散してきた切削屑に反応し、センサが誤動作して、屑搬送台車が異常停止することも考えられるので万全な対策とは言えない。そのため、屑搬送台車を切削屑の受入位置に自動停止させる技術は実用化されていないのが実情である。
【課題を解決するための手段】
【０００６】
本発明は、上記課題を解決するためになされたものであって、その要旨は、非磁性材料の切削屑の処理装置であって、前記切削屑を所定の屑受入位置で受け入れて搬送、排出する屑搬送台車と、該屑搬送台車に配設された永久磁石と、前記屑受入位置に配設されて前記永久磁石の接近を検出する磁気飽和検出型の近接スイッチとを有することを特徴とする切削屑の処理装置である。
【発明の効果】
【０００７】
本発明によれば、飛散した切削屑が近接スイッチに接近しても、近接スイッチが誤動作して屑搬送台車が異常停止するという事態には至らず、切削屑処理能率が向上する。
【図面の簡単な説明】
【０００８】
【図１】本発明の実施形態の１例を示す概略図
【図２】比較例を示す概略図
【発明を実施するための形態】
【０００９】
本発明の実施形態の１例を図１に示す。この例は、オーステナイト系ステンレス鋼管（ＳＵＳ３０４鋼管）の端部切削工程に本発明を適用した例である。台車（屑搬送台車）1は切削屑を所定の屑受入位置で受け入れて搬送、排出する。台車1には永久磁石2が配設され、屑受入位置には永久磁石2の接近を検出する磁気飽和検出型の近接スイッチ3が配設されている。尚、5は切削屑を台車1に送り込むシュートである。
【００１０】
空の状態の屑搬送台車1は図１（ａ）に示すように、図中の左側から矢印Ａのように屑受入位置に接近する。そして、図１（ｂ）に示すように、屑受入位置で停止させ、シュート５から送り込まれる切削屑を台車１で受け入れることを可能とする。ここで、近接スイッチ３は、永久磁石２が接近すると、台車の停止信号を発信する無線発信器20に接続されている。一方、台車１の車輪は駆動・制動装置６により、回転・停止が行なわれるようになっており、駆動・制動装置６は、無線発信器からの停止信号を受信すると車輸の回転を停止して台車１を停止させる。
【００１１】
本発明では、近接スイッチ3は、永久磁石2の接近によってのみ磁気飽和し、飛散した切削屑10が接近してきても磁気飽和しないので、誤動作して台車が異常停止するという事態には至らない。
しかし、切削屑が磁性材料であると、飛散した切削屑10が永久磁石2に吸着され、近接スイッチ3への接近時にこれと強く接触し、近接スイッチ3を損傷させることが懸念される。
【００１２】
しかし、非磁性の材料の切削屑の処理装置に限定すれば、磁性材料の切削屑が飛散することはなく、永久磁石２に切削屑が吸着して、近接スイッチ３と永久磁石２との接近により、切削屑がこの間に巻き込まれて、近接スイッチを損傷することもない。よって本発明では、処理対象を、本例におけるＳＵＳ３０４鋼管の様な非磁性材料の切削屑に限定した。
【００１３】
なお、本実施形態では、近接スイッチ３で永久磁石２の接近を検出すると、無線発信器20が停止信号を発信するようにしたが、本発明はこれに限らず、屑搬送台車にケーブルリールを装着しておき、該ケーブルリールに巻き取られるケーブルを介して近接スイッチからの停止信号を駆動・制動装置６に送信するようにしてもよい。
【実施例】
【００１４】
本発明例として、非磁性材料であるＳＵＳ３０４鋼管の端部切削工程の切削屑処理装置に、図１に示した本発明の切削屑処理装置を適用した。また、比較例１として、本発明例における永久磁石２と近接スイッチ３によるセンサを、図２に示す接触式センサを用いたリミットスイッチに置き換えた場合についても実施した。図２に示す接触式センサは、屑搬送台車にストライカー12を設け、一方、屑受入位置にはストライカー12の移動範囲内にストライカー12と接触するアーム11を有するリミットスイッチを配置しておき、ストライカー12がアーム11と接触するとアーム11が回動し（図２（ｂ）参照）、このアーム11の回動を検出することにより、屑搬送台車１が停止位置にあることを検出して駆動・制動装置６に停止信号を発信するものである。さらに、比較例２として、図1に示した切削屑処理装置を、磁性材料である鋼管の端部切削工程の切削屑処理装置に適用した。
【００１５】
本発明例の場合、永久磁石２と近接スイッチ３からなるセンサの誤動作による台車の異常停止は皆無であった。一方、比較例１の場合、切削屑がリミットスイッチのアーム11に絡まり、アーム11の回動動作に異常をきたして台車が異常停止することが頻発した。また、比較例２の場合は、切削屑が永久磁石２に吸着し、搬送台車が受入位置にまで搬送されると近接スイッチ３と永久磁石２との間に切削屑が挟まれて、以後、搬送台車の動作に異常が認められ、続けて使用し続けると近接スイッチが損傷することが予想された。
【符号の説明】
【００１６】
１  台車（屑搬送台車）
２  永久磁石
３  磁気飽和検出型の近接スイッチ
５  シュート
６  駆動・制動装置
10  飛散した切削屑
【図１】
2012115931.tif 000003
【図２】
2012115931.tif 000004